(57)【要約】【課題】原稿押さえが開かれた状態では第２筐体と第１筐体との間をロック機構でロックして第２筐体を開かないようにするとともに、第２筐体における位置決め部とロック機構とを外観上一体化することにより、省スペース化と、ロック機構の確実な作動と、外観の向上とを実現する画像形成装置を提供する。【解決手段】第２筐体３が第１位置に位置し、かつ原稿押さえ４が第４位置に位置する場合、解除部材６２２は収容部６４に収容され、可動係止部材６２１は固定係止部材６１に係止する係止位置に位置し、第２筐体３が第１位置に位置し、かつ原稿押さえ４が第３位置に位置する場合、位置決め凹部４１が位置決め凸部３３に嵌合して原稿押さえ４を第２筐体３に対して位置決めするとともに、解除凸部６５が解除部材６２２を移動させることにより可動係止部材６２１を固定係止部材６１との係止を解除する解除位置に移動させる。【選択図】図５
2018146890.tif 000002
【特許請求の範囲】
【請求項１】
シートに画像を形成する画像形成部を収容する第１筐体と、
前記第１筐体の上側に設けられ、前記第１筐体に対して、前記第１筐体の上面を覆う第１位置と前記第１筐体の上面を開放する第２位置との間で回動可能に連結され、
前記第１位置に位置する場合における上面に、
原稿を支持する原稿支持面と、
前記原稿支持面よりも上方に突出する位置決め凸部と、
を有し、
前記原稿支持面に支持された原稿から画像を読み取る画像読取部を収容する、
第２筐体と、
前記第２筐体の上側に設けられ、前記第２筐体に対して、前記原稿支持面を覆う第３位置と前記原稿支持面を開放する第４位置との間で回動可能に連結され、
前記第３位置に位置する場合における下面に、上方に向かって凹んでおり、前記第３位置に位置する場合に前記位置決め凸部に嵌合する位置決め凹部を有する、
原稿押さえと、
ロック機構と、
を備えた画像形成装置であって、
前記ロック機構は、
前記第１筐体に設けられた固定係止部材と、
前記第２筐体に設けられた可動係止部材と、
前記可動係止部材と連動する解除部材と、
前記位置決め凹部内に設けられた解除凸部と、を備え、
前記位置決め凸部には前記解除部材を収容する収容部が設けられ、
前記第２筐体が前記第１位置に位置し、かつ前記原稿押さえが前記第４位置に位置する場合、前記解除部材は前記収容部に収容され、前記可動係止部材は前記固定係止部材に係止する係止位置に位置し、
前記第２筐体が前記第１位置に位置し、かつ前記原稿押さえが前記第３位置に位置する場合、前記位置決め凹部が前記位置決め凸部に嵌合して前記原稿押さえを前記第２筐体に対して位置決めするとともに、前記解除凸部が前記解除部材を移動させることにより前記可動係止部材を前記固定係止部材との係止を解除する解除位置に移動させることを特徴とする画像形成装置。
【請求項２】
前記原稿押さえに自動原稿送り装置が付設されていることを特徴とする請求項１に記載の画像形成装置。
【請求項３】
前記可動係止部材は、前記原稿押さえの回動軸と平行な回動軸を中心に回動することを特徴とする請求項１又は請求項２に記載の画像形成装置。
【請求項４】
前記可動係止部材と前記解除部材とが一体であることを特徴とする請求項１から請求項３の何れか一項に記載の画像形成装置。
【請求項５】
前記可動係止部材を前記解除位置から前記係止位置へ向かって付勢する付勢部材を備えたことを特徴とする請求項１から請求項４の何れか一項に記載の画像形成装置。
【請求項６】
前記位置決め凸部における前記原稿押さえの回動軸方向の両側部が、それぞれ前記位置決め凹部に嵌合することを特徴とする請求項１から請求項５の何れか一項に記載の画像形成装置。
【請求項７】
前記位置決め凸部は円柱状であって、前記収容部は前記原稿押さえの回動軸側に開放された切欠部であることを特徴とする請求項１から請求項６の何れか一項に記載の画像形成装置。
【発明の詳細な説明】
【技術分野】
【０００１】
本発明は、画像読取部を備えた画像形成装置に関する。
【背景技術】
【０００２】
従来からシートに画像を形成する画像形成装置において、その上部に原稿を読み取る画像読取部を備えているものがある。このような画像形成装置の一例として、画像形成部を収容する第１筐体の上部に、画像読取部を収容する第２筐体がシートの排出空間を介して配置され、第２筐体の上部に原稿押さえが配置される形態がある。第１筐体と第２筐体、第２筐体と原稿押さえはそれぞれヒンジで連結されており、第２筐体は第１筐体に対して上方へ開くことができ、原稿押さえは第２筐体に対して上方へ開くことができる。
【０００３】
ここで、第２筐体と原稿押さえの両方が開かれると、原稿押さえが第１筐体の後側へ倒れ、画像形成装置全体の重心が後方へ移動し、第１筐体が後側へ転倒し易くなる。特に、原稿押さえにＡＤＦ（自動原稿送り装置）が付設されている場合には、原稿押さえの重量が大きくなるために、第１筐体が後側へより転倒しやすくなる。
【０００４】
この対策として、特許文献１には、このような画像形成装置において、原稿押さえが開かれた状態では第２筐体と第１筐体との間をロック機構でロックして第２筐体を開かないようにする構成が開示されている。
【先行技術文献】
【特許文献】
【０００５】
【特許文献１】特開２０１４−２３５２１４号公報
【発明の概要】
【発明が解決しようとする課題】
【０００６】
ところで、原稿押さえのヒンジには、原稿押さえの開閉を容易にするためにあそびが設けられている。そのため、原稿押さえを閉じた状態で、原稿押さえと第２筐体との位置がヒンジのあそびの分だけずれる可能性がある。もしずれると、原稿押さえと第２筐体がうまく固定されていないように見えるので見た目が悪い。また、原稿押さえにＡＤＦが付設されている場合には、原稿押え側のＡＤＦと第２筐体側の原稿読取装置の位置が、ヒンジのあそびの分だけずれる可能性がある。もしずれると、原稿が原稿読取装置に対してずれた状態で搬送されることになるため、読み取られた画像が傾いたり歪んだりするなどの問題が生じる可能性がある。
【０００７】
この対策として、例えば、原稿押さえと第２筐体とを位置決めするための凸部及び凹部で構成されるような位置決め部を設けることが考えられる。しかしながら、特許文献１には位置決めに関する記載はない。そこで、特許文献１に、位置決め部を追加して位置決めすることが考えられる。この場合、ロック機構とは別の位置に位置決め部を設置しようとすると、位置決め部を設置するスペースの分だけ第２筐体と原稿押さえが大きくなってしまう。また、ロック機構とは別の位置に位置決め部を設置しようとすると、原稿押さえのヒンジに原稿押さえの開閉が容易にできる程度のあそびを確保することと、位置決め部で原稿押さえをロック機構が確実に動作するように位置決めすることとの両立が難しい。
【０００８】
本発明は、原稿押さえが開かれた状態では第２筐体と第１筐体との間をロック機構でロックして第２筐体を開かないようにするとともに、第２筐体における位置決め部とロック機構とを外観上一体化することにより、省スペース化と、ロック機構の確実な作動と、外観の向上とを実現する画像形成装置を提供することを目的とする。
【課題を解決するための手段】
【０００９】
本発明の画像形成装置は、シートに画像を形成する画像形成部を収容する第１筐体と、前記第１筐体の上側に設けられ、前記第１筐体に対して、前記第１筐体の上面を覆う第１位置と前記第１筐体の上面を開放する第２位置との間で回動可能に連結され、前記第１位置に位置する場合における上面に、原稿を支持する原稿支持面と、前記原稿支持面よりも上方に突出する位置決め凸部と、を有し、前記原稿支持面に支持された原稿から画像を読み取る画像読取部を収容する、第２筐体と、前記第２筐体の上側に設けられ、前記第２筐体に対して、前記原稿支持面を覆う第３位置と前記原稿支持面を開放する第４位置との間で回動可能に連結され、前記第３位置に位置する場合における下面に、上方に向かって凹んでおり、前記第３位置に位置する場合に前記位置決め凸部に嵌合する位置決め凹部を有する、原稿押さえと、ロック機構と、を備えた画像形成装置であって、前記ロック機構は、前記第１筐体に設けられた固定係止部材と、前記第２筐体に設けられた可動係止部材と、前記可動係止部材と連動する解除部材と、前記位置決め凹部内に設けられた解除凸部と、を備え、前記位置決め凸部には前記解除部材を収容する収容部が設けられ、前記第２筐体が前記第１位置に位置し、かつ前記原稿押さえが前記第４位置に位置する場合、前記解除部材は前記収容部に収容され、前記可動係止部材は前記固定係止部材に係止する係止位置に位置し、前記第２筐体が前記第１位置に位置し、かつ前記原稿押さえが前記第３位置に位置する場合、前記位置決め凹部が前記位置決め凸部に嵌合して前記原稿押さえを前記第２筐体に対して位置決めするとともに、前記解除凸部が前記解除部材を移動させることにより前記可動係止部材を前記固定係止部材との係止を解除する解除位置に移動させることを特徴とする。
【００１０】
上記の構成によれば、原稿押さえが開かれた状態ではロック機構がロック状態となって第２筐体を開かないようにし、原稿押さえが閉じられた状態ではロック機構が解除状態となって第２筐体を開くようにすることができる。
【発明の効果】
【００１１】
本発明によれば、原稿押さえが開かれた状態ではロック機構がロック状態となって第２筐体を開かないようにすることで画像形成装置の転倒を抑制し、一方、原稿押さえが閉じられた状態ではロック機構が解除状態となって第２筐体を開くようにすることができる。
【００１２】
また本発明によれば、位置決め凸部の収容部に解除部材を収容することによって、位置決め凸部と解除部材とが外観上一体化され、省スペース化と外観の向上とを実現できる。また、収容部にはユーザが間違って解除部材を手で押したり原稿で押したりすることを抑制するために解除部材を保護する役割もある。
【００１３】
さらに本発明によれば、位置決め凸部と解除部材とが同じ位置に配置されるため、原稿押さえを閉じた際に、位置決め凹部が位置決め凸部に嵌合するとともに、解除凸部が解除部材を確実に押し込むことができ、それに連動する可動係止部材は固定係止部材との係止を確実に解除する。
【図面の簡単な説明】
【００１４】
【図１】一実施形態の画像形成装置の斜視図である。
【図２】画像形成装置の模式左側面図であり、（ａ）は第２筐体及び原稿押さえが閉じた状態、（ｂ）は第２筐体が開いた状態、（ｃ）は原稿押さえが開いた状態を示している。
【図３】図２（ａ）の一部断面図である。
【図４】図２（ｂ）の一部断面図である。
【図５】図２（ｃ）の一部断面図である。
【図６】可動フックの具体例の斜視図である。
【図７】原稿押さえが第４位置にある場合の位置決め凸部周辺の具体例を示す図であり、（ａ）はその斜視図、（ｂ）はその平面図である。
【図８】位置決め凹部周辺の具体例の斜視図である。
【発明を実施するための形態】
【００１５】
以下の説明では、図１に示すように画像形成装置が使用可能に設置された状態を基準とし、前後、左右、上下の各方向を定める。
【００１６】
［画像形成装置の全体構成］
図１は本発明の一実施形態の画像形成装置１の斜視図である。図２は画像形成装置１の模式左側面図であり、（ａ）は第２筐体及び原稿押さえが閉じた状態、（ｂ）は第２筐体が開いた状態、（ｃ）は原稿押さえが開いた状態を示している。また、図２（ａ）には画像形成装置１の内部構成の概要も示している。
【００１７】
画像形成装置１は、第１筐体２と、第２筐体３と、原稿押さえ４と、自動原稿送り装置（以下ＡＤＦと記す）５と、ロック機構６とを備えている。
【００１８】
第１筐体２は略直方体形状の筐体である。第１筐体２には、図２（ａ）に示すように、シートＳを収容するシートカセット２１と、シートカセット２１からシートＳを搬送する搬送機構２２と、搬送機構２２によって搬送されてきたシートＳに画像を形成する画像形成部２３と、画像形成部２３から第１筐体２外へシートＳを搬送する排出機構２４とが収容されている。画像形成部２３の構成には特に限定はなく、電子写真方式、インクジェット方式、サーマルヘッド方式などの構成を用いることができる。
【００１９】
画像形成装置１は、いわゆる胴内排紙型と呼ばれる形態を有する。第１筐体２の上面は窪んでおり、後側から前側に向かって湾曲しつつ登るように傾斜した排出トレイ２５が形成されている。第１筐体２の上面前部と第２筐体３の下面前部との間には、シート取出口２６が形成される。そして、画像が形成されたシートＳは、排出機構２４によって後側から前側に向かって排出トレイ２５に排出される。
【００２０】
第２筐体３は、前後左右の大きさが第１筐体２の上面とほぼ同じ大きさの筐体であり、第１筐体２の上側に第１筐体２の上面を覆うように設けられている。第２筐体３の後端部は左右方向を回動軸とするヒンジ７によって第１筐体２の後端部と上下方向に回動可能に連結されている。これにより、第２筐体３は、第１筐体２に対して、第１筐体２の上面を覆う第１位置（図２（ａ）の状態）と第１筐体２の上面を開放する第２位置（図２（ｂ）の状態）との間で回動可能である。
【００２１】
第２筐体３は、図１（ａ）に示すように、傾斜した前上部にタッチパネルや操作ボタン等の操作部３１を備えている。第２筐体３は、図２（ｃ）に示すように、第２筐体３が第１位置に位置する場合における上面に、原稿を支持するプラテンガラス等の原稿支持面３２と、原稿支持面３２よりも上方に突出する位置決め凸部３３とを有している。第２筐体３には、図２（ａ）に示すように、原稿支持面３２に支持された原稿から画像を読み取る画像読取部３４が収容されている。
【００２２】
画像読取部３４は、いわゆるフラットベッドタイプと呼ばれる形態を有する。画像読取部３４は、画像を読み取るイメージセンサと、イメージセンサを駆動する駆動機構とを備えている。イメージセンサとしては、例えば前後方向に複数のフォトダイオードが列設されたライン型のセンサを用いることができる。駆動機構はモータ及び複数のギヤ等で構成され、イメージセンサを左右方向に移動させる。これにより、画像読取部３４はイメージセンサを移動させながら原稿支持面３２に支持された原稿を読み取ることができる。
【００２３】
原稿押さえ４は、前後左右の大きさが第２筐体３の上面とほぼ同じ大きさの筐体であり、第２筐体３の上側に第２筐体３の上面を覆うように設けられている。原稿押さえ４の後端部はヒンジ７と平行な回動軸を有するヒンジ８によって第２筐体３の後端部と上下方向に回動可能に連結されている。これにより、原稿押さえ４は、第２筐体３に対して、原稿支持面３２を覆う第３位置（図２（ａ）の状態）と原稿支持面３２を開放する第４位置（図２（ｃ）の状態）との間で回動可能である。
【００２４】
原稿押さえ４は、図２（ａ）に示すように、原稿押さえ４が第３位置に位置する場合における下面に、上方に向かって凹んでおり、原稿押さえ４が第３位置に位置する場合に位置決め凸部３３に嵌合する位置決め凹部４１を有している。例えば、位置決め凹部４１を前後方向に位置決め凸部３３より長い凹部とし、位置決め凸部３３を位置決め凹部４１の左右方向の長さと同一の直径を有する円柱状とすることができる。この場合、原稿押さえ４が第３位置に位置するとき、位置決め凸部３３の左右端部が位置決め凹部４１に嵌合する。これにより、原稿押さえ４は第２筐体３に対して左右方向に位置決めされる。
【００２５】
原稿押さえ４の上部には、ＡＤＦ５が付設されている。ＡＤＦ５は、原稿供給トレイ５１と、原稿供給トレイ５１に載置された原稿を搬送し、イメージセンサの上方を通過させて原稿押さえ４の上面の原稿排出トレイ５２に排出する搬送機構（図示せず）とを備えている。これにより、画像読取部３４は複数枚の原稿を１枚ずつ自動的に読み取ることができる。
【００２６】
ロック機構６は、図２（ａ）に示すように、画像形成装置１の左前部に第１筐体２と第２筐体３と原稿押さえ４とに亘って構成されている。ロック機構６は、原稿押さえ４が第４位置にある状態ではロック状態となって第２筐体３を第１位置に固定し、一方、原稿押さえ４が第３位置にある状態では解除状態となって第２筐体３が開くようにする機構である。
【００２７】
このような構成の画像形成装置１において、ユーザは原稿押さえ４の前端部を持ち上げることで原稿押さえ４を開き、原稿支持面３２に原稿を載置することができる。また、ユーザはＡＤＦ５の原稿供給トレイ５１に原稿を載置することで複数の原稿を自動的に読み取らせることができる。
【００２８】
さらに、ユーザが第２筐体３を持ち上げて第２位置に移動させることでシート取出口２６が拡がり、排出された小サイズのシートが排出トレイ２５の奥側に支持されていたとしてもシートを取り出し易くなる。
【００２９】
［ロック機構の構成］
図３は図２（ａ）の一部断面図、図４は図２（ｂ）の一部断面図、図５は図２（ｃ）の一部断面図である。ロック機構６は、固定係止部材６１と、可動フック６２と、付勢部材６３と、収容部６４と、解除凸部６５とを備えている。
【００３０】
図３に示すように、固定係止部材６１は、可動フック６２と上下方向に係止可能に第１筐体２に固定して設けられる部材である。本実施形態において固定係止部材６１は、第２筐体３が第１位置に位置する場合に位置決め凸部３３の下方に位置する第１筐体２の上面に配置されている。固定係止部材６１は、第１筐体２の上面から上方に突出した略Ｌ字型のフックであり、第１筐体２の上面から上方に延びる棒状の基部６１１と、基部６１１の上端から前方へ突出する鉤部６１２とで構成されている。第２筐体３の下面には、第２筐体３が第１位置に位置する場合に固定係止部材６１を第２筐体３内に挿通する挿通孔３５が形成されている。
【００３１】
可動フック６２は、固定係止部材６１と上下方向に係止可能に第２筐体３に対して可動に設けられる部材である。本実施形態において可動フック６２は、位置決め凸部３３と挿通孔３５との間の第２筐体３内に配置されている。図６に可動フック６２の具体例の斜視図を示す。図６における各方向は可動フック６２が図５の位置にある場合を基準としている。
【００３２】
図６に示すように、可動フック６２は、可動係止部材６２１と、解除部材６２２と、回動軸部６２３とが一体成型された部材である。可動係止部材６２１と解除部材６２２とを一体とすることにより部品数を削減できる。可動係止部材６２１は、上下方向に延びる棒状の第１基部６２１Ａと、第１基部６２１Ａの下端から後方へ突出する鉤部６２１Ｂと、第１基部６２１Ａの上端から後方へ延びて左方へ屈曲する第２基部６２１Ｃとで構成されている。
【００３３】
解除部材６２２は、第２基部６２１Ｃの左端から上方へ延びる棒状部材である。回動軸部６２３は、第１基部６２１Ａの上端から左右方向に延びる円柱状部材であり、第２筐体３に回動可能に支持される。そして、可動フック６２は、回動軸部６２３を中心として、固定係止部材６１に係止する係止位置（図５の状態）と、固定係止部材６１との係止を解除する解除位置（図３及び図４の状態）との間で移動可能である。
【００３４】
付勢部材６３は、可動フック６２を解除位置から係止位置へ向かって付勢する部材であり、本実施形態では、ねじりコイルばねを用いている。図６に示すように、付勢部材６３のコイル部６３１が可動フック６２の回動軸部６２３に挿通され、下端部６３２が第１基部６２１Ａに固定され、前端部６３３が図示しない第２筐体３に固定される。
【００３５】
図５に示すように、収容部６４は、位置決め凸部３３に設けられ、解除部材６２２を収容する。図７は原稿押さえ４が第４位置にある場合の位置決め凸部３３周辺の具体例を示す図であり、（ａ）はその斜視図、（ｂ）はその平面図である。収容部６４は、円柱状の位置決め凸部３３の後側を後方に開放するように切り欠いた切欠部である。また、収容部６４は、上下方向に第２筐体３の内部まで貫通するように形成されている。切欠部６４の平面形状はコ字型としているが、半円型に切り欠いた形状などでもよい。そして、原稿押さえ４が第４位置にある場合、解除部材６２２の上端が収容部６４の上端にほぼ揃うように、解除部材６２２が収容部６４に収容された状態となる。
【００３６】
図５に示すように、解除凸部６５は、位置決め凹部４１内に設けられ、原稿押さえ４が第３位置に位置する場合、解除部材６２２に当接して解除部材６２２を移動させる凸部である。図８に位置決め凹部４１周辺の具体例の斜視図を示す。図８における各方向は原稿押さえ４が図３の位置にある場合を基準としている。
【００３７】
図８に示すように、位置決め凹部４１は、前後方向が位置決め凸部３３より長く、左右方向が位置決め凸部３３の直径と同一長さであって、深さが位置決め凸部３３の高さより深い凹部である。これにより、原稿押さえ４が第３位置に位置するとき、位置決め凸部３３の左右端部が位置決め凹部４１に嵌合し、原稿押さえ４は第２筐体３に対して左右方向に位置決めされる。
【００３８】
また、位置決め凹部４１と原稿押さえ４の下面との境界部分はテーパー面４１１となっている。位置決め凸部３３が位置決め凹部４１に嵌るとき、互いの位置が少しずれている場合でも、位置決め凸部３３がテーパー面４１１に沿って位置決め凹部４１に導かれるため、位置決め凸部３３が位置決め凹部４１に嵌りやすくなる。
【００３９】
解除凸部６５は、位置決め凹部４１の上端面から下方へ突出する凸部である。解除凸部６５は、原稿押さえ４が第３位置に位置する場合に収容部６４に嵌る大きさ及び位置に形成されている。また、解除凸部６５の下端部はテーパー面４１１より上方に位置している。これにより、原稿押さえ４が第３位置へ移動する際に、テーパー面４１１が位置決め凸部３３に当接して左右に位置決めされた後に、解除凸部６５が解除部材６２２に当接するため、解除凸部６５が位置決め凸部３３に当たることなく解除部材６２２に当接する。
【００４０】
このようなロック機構６の構成によれば、位置決め凸部３３の収容部６４に解除部材６２２を収容することによって、位置決め凸部３３と解除部材６２２とが外観上一体化され、省スペース化と外観の向上とを実現できる。また、収容部６４にはユーザが間違って解除部材６２２を手で押したり原稿で押したりすることを抑制するために解除部材６２２を保護する役割もある。
【００４１】
さらに、位置決め凸部３３と解除部材６２２とが同じ位置に配置されることによって、原稿押さえ４を閉じた際に、位置決め凹部４１が位置決め凸部３３に嵌合するとともに、解除凸部６５が解除部材６２２を確実に押し込むことができ、それに連動する可動係止部材６２１は固定係止部材６１との係止が確実に解除される。
【００４２】
また、可動フック６２を回動する構成とすることによって、可動フック６２が簡単な構成になる。また、可動フック６２の回動軸部６２３を原稿押さえ４の回動軸であるヒンジ８の回動軸と平行に配置することによって、原稿押さえ４を閉じる際に、解除凸部６５が可動フック６２をスムーズに押し込むことができる。
【００４３】
また、収容部６４が原稿押さえ４の回動軸側に開放されていることにより、原稿押さえ４を第４位置から第３位置に移動させる際に、円弧状の軌跡を描く解除凸部６５が位置決め凸部３３に干渉することなく解除部材６２２を押し込むことができる。
【００４４】
また、付勢部材６３による簡単な構成で、解除凸部６５が解除部材６２２から離れたときに、可動フック６２を解除位置から係止位置へ移動させることができる。
【００４５】
なお、ロック機構６の配置は画像形成装置１の左前部に限定されることはないが、画像形成装置１の後部よりも前部に配置することにより、ヒンジ８から遠く配置されるため、位置決め凸部３３と位置決め凹部４１とによる位置決めの精度が高くなる。
【００４６】
［ロック機構の動作］
次に、図３から図５を参照してロック機構６の動作について説明する。図３に示すように、第２筐体３が第１位置に位置し、かつ原稿押さえ４が第３位置に位置する場合、位置決め凹部４１が位置決め凸部３３に嵌合して原稿押さえ４を第２筐体３に対して位置決めする。このとき、解除凸部６５が収容部６４に嵌り解除部材６２２を押し下げることによって、可動フック６２が付勢部材６３の付勢力に抗して回動し、解除位置に移動した状態となる。これにより、固定係止部材６１の鉤部６１２と可動フック６２の鉤部６２１Ｂとの係止が解除された状態となる。
【００４７】
次に、図３の状態から第２筐体３の前部を持ち上げると、可動フック６２が解除位置にあるため、第２筐体３がヒンジ７を中心に原稿押さえ４とともに上方へ回動する。そして、図４に示すように、第２筐体３は第２位置まで回動する。また、図４の状態から第２筐体３の前部を押し下げると、第２筐体３は原稿押さえ４とともに下方へ回動し、図３の状態に戻る。
【００４８】
次に、図３の状態から原稿押さえ４の前部を持ち上げると、原稿押さえ４がヒンジ８を中心に上方へ回動し、図５に示すように、第２筐体３が第１位置に位置し、かつ原稿押さえ４が第４位置に位置する状態となる。このとき、位置決め凹部４１が位置決め凸部３３から離間するとともに、解除凸部６５が収容部６４から抜けて解除部材６２２から離間する。そして、可動フック６２が付勢部材６３の付勢力によって回動し、係止位置に移動する。これにより、固定係止部材６１の鉤部６１２に可動フック６２の鉤部６２１Ｂが係止される。よって、図５の状態において第２筐体３を持ち上げても第２筐体３は移動しない。また、図５の状態から原稿押さえ４の前部を押し下げると、原稿押さえ４は下方へ回動し、図３の状態に戻る。
【００４９】
このように、原稿押さえ４が開かれた状態では、ロック機構６がロック状態となって第２筐体３を開かないようにする。これにより、第２筐体３が開かれて原稿押さえ４が開きすぎ、第１筐体２の後側へ倒れて画像形成装置１全体の重心が後方へ移動しないようにすることができ、画像形成装置１が転倒することを抑制することができる。さらに、原稿押さえ４にＡＤＦ５が付設されていることによって原稿押さえ４の重量が大きくなるため、この構成により画像形成装置１の転倒をより効果的に抑制することができる。一方、原稿押さえ４が閉じられた状態ではロック機構６が解除状態となって第２筐体３を開くようにすることができる。
【００５０】
［変形例］
上記の実施形態ではＡＤＦ５を備えた画像形成装置１を例に説明したが、ＡＤＦ５を備えていない画像形成装置であってもよい。すなわち、原稿押さえ４を平板状にした構成である。
【００５１】
上記の実施形態では付勢部材６３を用いたが、付勢部材６３は必ずしも必要ではない。例えば、付勢部材６３を省き、図５の状態において可動フック６２が自重で係止位置に回動するように、可動フック６２の重心位置を設計すればよい。
【００５２】
上記の実施形態では可動フック６２を用いたが、可動係止部材６２１と解除部材６２２とは互いに連動する別部品としてもよい。例えば、上記の可動フック６２を可動係止部材６２１と解除部材６２２とに切り離した形態とすることができる。この場合、解除部材６２２の下端部と可動係止部材６２１の第２基部６２１Ｃの左端部上面とが当接する。そして、解除部材６２２が解除凸部６５によって押し下げられることで可動係止部材６２１を押し下げる。一方、可動係止部材６２１が付勢部材６３の付勢力によって回動することで解除部材６２２を押し上げる。
【００５３】
すなわち、上記の実施形態と変形例とをまとめると、可動係止部材は、固定係止部材と上下方向に係止可能に第２筐体に対して可動に設けられる部材であればよい。この可動係止部材は、例えば原稿押さえの回動軸と平行な回動軸を中心に回動するように構成することができる。一方、解除部材は、第２筐体に設けられ、可動係止部材と連動する部材であればよい。この解除部材の一部は収容部に収容される。そして、固定係止部材と可動係止部材との連動は、例えば互いに接触する構成としたり、一体に構成したりすることで実現できる。
【００５４】
［実施形態の効果］
上記の実施形態である画像形成装置１は、シートＳに画像を形成する画像形成部２３を収容する第１筐体２を備える。また画像形成装置１は、第１筐体２の上側に設けられ、第１筐体２に対して、第１筐体２の上面を覆う第１位置と第１筐体２の上面を開放する第２位置との間で回動可能に連結され、第１位置に位置する場合における上面に、原稿を支持する原稿支持面３２と、原稿支持面３２よりも上方に突出する位置決め凸部３３と、を有し、原稿支持面３２に支持された原稿から画像を読み取る画像読取部３４を収容する、第２筐体３を備える。また画像形成装置１は、第２筐体３の上側に設けられ、第２筐体３に対して、原稿支持面３２を覆う第３位置と原稿支持面３２を開放する第４位置との間で回動可能に連結され、第３位置に位置する場合における下面に、上方に向かって凹んでおり、第３位置に位置する場合に位置決め凸部３３に嵌合する位置決め凹部４１を有する、原稿押さえ４を備える。また画像形成装置１は、ロック機構６を備え、ロック機構６は、第１筐体２に設けられた固定係止部材６１と、第２筐体３に設けられた可動係止部材６２１と、可動係止部材６２１と連動する解除部材６２２と、位置決め凹部４１内に設けられた解除凸部６５と、を備える。また、位置決め凸部３３には解除部材６２２を収容する収容部６４が設けられる。そして、第２筐体３が第１位置に位置し、かつ原稿押さえ４が第４位置に位置する場合、解除部材６２２は収容部６４に収容され、可動係止部材６２１は固定係止部材６１に係止する係止位置に位置する。そして、第２筐体３が第１位置に位置し、かつ原稿押さえ４が第３位置に位置する場合、位置決め凹部４１が位置決め凸部３３に嵌合して原稿押さえ４を第２筐体３に対して位置決めするとともに、解除凸部６５が解除部材６２２を移動させることにより可動係止部材６２１を固定係止部材６１との係止を解除する解除位置に移動させる。
【００５５】
この構成によれば、原稿押さえ４が開かれた状態ではロック機構６がロック状態となって第２筐体３を開かないようにすることで画像形成装置１の転倒を抑制し、一方、原稿押さえ４が閉じられた状態ではロック機構６が解除状態となって第２筐体３を開くようにすることができる。また、位置決め凸部３３の収容部６４に解除部材６２２を収容することによって、位置決め凸部３３と解除部材６２２とが外観上一体化され、省スペース化と外観の向上とを実現できる。また、収容部６４にはユーザが間違って解除部材６２２を手で押したり原稿で押したりすることを抑制するために解除部材６２２を保護する役割もある。さらに、位置決め凸部３３と解除部材６２２とが同じ位置に配置されるため、原稿押さえ４を閉じた際に、位置決め凹部４１が位置決め凸部３３に嵌合するとともに、解除凸部６５が解除部材６２２を確実に押し込むことができ、それに連動する可動係止部材６２１は固定係止部材６１との係止を確実に解除する。
【００５６】
また上記の実施形態である画像形成装置１によれば、原稿押さえに自動原稿送り装置が付設されている。
【００５７】
この構成によれば、自動原稿送り装置が付設されることによって原稿押さえの重量が大きくなるため、画像形成装置の転倒を抑制することがより有用である。
【００５８】
また上記の実施形態である画像形成装置１によれば、可動係止部材６２１は、原稿押さえ４の回動軸と平行な回動軸を中心に回動する。
【００５９】
この構成によれば、可動係止部材６２１を回動する構成とすることによって、可動係止部材６２１が簡単な構成になる。また、可動係止部材６２１の回動軸を原稿押さえ４の回動軸と平行に配置することによって、原稿押さえ４を閉じる際に、解除凸部６５が解除部材６２２をスムーズに押し込むことができる。
【００６０】
また上記の実施形態である画像形成装置１によれば、可動係止部材６２１と解除部材６２２とが一体である。
【００６１】
この構成によれば、部品数を削減できる。
【００６２】
また上記の実施形態である画像形成装置１は、可動係止部材６２１を解除位置から係止位置へ向かって付勢する付勢部材６３を備える。
【００６３】
この構成によれば、解除凸部６５が解除部材６２２から離れたときに、付勢部材６３による簡単な構成で可動係止部材６２１を解除位置から係止位置へ移動させることができる。
【００６４】
また上記の実施形態である画像形成装置１によれば、位置決め凸部３３における原稿押さえ４の回動軸方向の両側部が、それぞれ位置決め凹部４１に嵌合する。
【００６５】
この構成によれば、原稿押さえ４は第２筐体３に対して原稿押さえ４の回動軸方向に位置決めされる。
【００６６】
また上記の実施形態である画像形成装置１によれば、位置決め凸部３３は円柱状であって、収容部６４は原稿押さえ４の回動軸側に開放された切欠部である。
【００６７】
この構成によれば、収容部６４が原稿押さえ４の回動軸側に開放されていることにより、原稿押さえ４を閉じる際に、円弧状の軌跡を描く解除凸部６５が位置決め凸部３３に干渉することなく解除部材６２２を押し込むことができる。
【符号の説明】
【００６８】
１          画像形成装置
２３        画像形成部
２          第１筐体
３          第２筐体
３２        原稿支持面
３３        位置決め凸部
３４        画像読取部
４１        位置決め凹部
４          原稿押さえ
６          ロック機構
６１        固定係止部材
６２１      可動係止部材
６２２      解除部材
６５        解除凸部
６４        収容部
５          自動原稿送り装置
６３        付勢部材
Ｓ          シート
【図１】
2018146890.tif 000003
【図２】
2018146890.tif 000004
【図３】
2018146890.tif 000005
【図４】
2018146890.tif 000006
【図５】
2018146890.tif 000007
【図６】
2018146890.tif 000008
【図７】
2018146890.tif 000009
【図８】
2018146890.tif 000010